(57)【要約】      （修正有）【課題】ＰＴＴ通信時、スピーカからホワイトノイズが発生するのを防止する。【解決手段】携帯電話機はプロセッサ１２を含み、ＰＴＴ通話を開始すると、プロセッサ１２において、制御回路６０の指示の下、ＤＳＰ６４は入出力を開始する。プロセッサ１２（制御回路６０）は、自身がフロアを取得した場合には、スピーカ２８、３０、４０、４２の前段に設けられたアンプ２６、６８、７０、７２、７４および８４の出力を停止したままである。一方、プロセッサ１２（制御回路６０）は、他者がフロアを取得した場合には、アンプ２６および６８、７０、７２、７４および８４の出力を開始し、他者がフロアを開放した場合に、その出力を停止する。【選択図】図２
2013172297.tif 000002
【特許請求の範囲】
【請求項１】
１または複数の相手機器との間で半二重通信を行う電子機器であって、
受信した音声信号に対応する音声を出力する出力部と、
前記出力部の前段に設けられ、前記受信した音声信号を増幅する増幅部と、
前記相手機器が発言権を取得したときに、前記増幅部の出力を開始し、少なくとも前記相手機器が発言権を取得していないときに、当該増幅部の出力を停止させる増幅制御部を備える、電子機器。
【請求項２】
少なくとも前記半二重通信を行う通信部と、
前記通信部と前記増幅部との間に設けられ、音声信号が入出力される入出力部と、
前記入出力部への音声信号の入出力の開始および停止を制御する、入出力制御部をさらに備え、
前記増幅制御部は、前記入出力制御部によって前記入出力部への入出力が開始されてから停止されるまでの間において、前記増幅部の出力を開始または停止させる、請求項１記載の電子機器。
【請求項３】
受信した音声信号に対応する音声を出力する出力部と、
前記出力部の前段に設けられ、前記受信した音声信号を増幅する増幅部を備え、
１または複数の相手機器との間で半二重通信を行う電子機器の出力制御プログラムであって、
前記電子機器のプロセッサに、
前記相手機器が発言権を取得したときに、前記増幅部の出力を開始し、少なくとも前記相手機器が発言権を取得していないときに、当該増幅部の出力を停止させる増幅制御ステップを実行させる、出力制御プログラム。
【請求項４】
受信した音声信号に対応する音声を出力する出力部と、
前記出力部の前段に設けられ、前記受信した音声信号を増幅する増幅部を備え、
１または複数の相手機器との間で半二重通信を行う電子機器の出力制御方法であって、
前記電子機器のプロセッサは、
前記相手機器が発言権を取得したときに、前記増幅部の出力を開始し、少なくとも前記相手機器が発言権を取得していないときに、当該増幅部の出力を停止させる、出力制御方法。
【発明の詳細な説明】
【技術分野】
【０００１】
この発明は電子機器、出力制御プログラムおよび出力制御方法に関し、特にたとえば、他の電子機器との間で通信を行う、電子機器、出力制御プログラムおよび出力制御方法に関する。
【背景技術】
【０００２】
この種の電子機器の一例が特許文献１に開示されている。この特許文献１に開示されるＰＴＴ（Ｐｕｓｈ−Ｔｏ−Ｔａｌｋ）通信システムでは、会議参加者は、自端末に会議開催者が作成したＶＯＢＪＥＣＴ（仮想オブジェクト）ファイルをダウンロードして保存する。ＶＯＢＪＥＣＴファイルに記載された時間になると、各端末では自動的にＰＴＴの開始制御が行われる。ＰＴＴ中では、各端末にダウンロードされたＶＯＢＪＥＣＴファイルの情報に従って、会議開催者が設定した発言権設定、ＰＴＴ中のファイルアップロード権限、ＰＴＴ中の画面共有権限が反映されたＰＴＴが実行される。
【先行技術文献】
【特許文献】
【０００３】
【特許文献１】特開２００８−２２７７４２号［Ｈ０４Ｂ  ７／２６，  Ｈ０４Ｍ  １１／００］
【発明の概要】
【発明が解決しようとする課題】
【０００４】
しかし、特許文献１のＰＴＴ通信システムでは、ＰＴＴの実行中においては、各端末は、発言権の有無に拘わらず、スピーカの出力はオンされたままであり、自身が発言権を有していたり、誰も発言権を有していなかったりする状況においては、スピーカから音声が出力されないため、ノイズ（ホワイトノイズ）が発生する。
【０００５】
それゆえに、この発明の主たる目的は、新規な、電子機器、情報処理プログラムおよび情報処理方法を提供することである。
【０００６】
また、この発明の他の目的は、スピーカからノイズが発生するのを防止することができる、電子機器、情報処理プログラムおよび情報処理方法を提供することである。
【課題を解決するための手段】
【０００７】
本発明は、上記の課題を解決するために、以下の構成を採用した。なお、括弧内の参照符号および補足説明等は、本発明の理解を助けるために後述する実施の形態との対応関係を示したものであって、本発明を何ら限定するものではない。
【０００８】
第１の発明は、１または複数の相手機器との間で半二重通信を行う電子機器であって、受信した音声信号に対応する音声を出力する出力部と、出力部の前段に設けられ、受信した音声信号を増幅する増幅部と、相手機器が発言権を取得したときに、増幅部の出力を開始し、少なくとも相手機器が発言権を取得していないときに、当該増幅部の出力を停止させる増幅制御部を備える、電子機器である。
【０００９】
第１の発明では、電子機器（１０）は、１または複数の相手機器（１０など）との間で半二重通信を行う。出力部（２８、３０、４０、４２）は、受信した音声信号に対応する音声を出力する。増幅部（２６、６８、７０、７２、７４、８４）は、出力部の前段に設けられ、受信した音声信号を増幅する。増幅制御部（６０、Ｓ１９、Ｓ２１、Ｓ２７、Ｓ２９、Ｓ５３、Ｓ５９、Ｓ８３、Ｓ８９、Ｓ１１１、Ｓ１１３、Ｓ１１９、Ｓ１２１）は、相手機器が発言権を取得したときに、増幅部の出力を開始し、少なくとも相手機器が発言権を取得していないときに、当該増幅部の出力を停止させる。つまり、電子機器自身が発言権を取得したとき、および半二重通信を行う全ての機器が発言権を有していないときに、増幅部の出力は停止される。ここで、部材の前段とは、信号の送信方向が、入力から出力方向に向かって前後が定義された場合の前段を意味する(以下、同様。)。そのため、出力部の前段に増幅部が設けられている場合には、音声信号が増幅部側から出力部側に送信されることになる。
【００１０】
第１の発明によれば、相手機器が発言権を取得したときに、増幅部の出力を開始させ、少なくとも相手機器が発言権を取得していないときに、増幅部の出力を停止させるので、音声を出力する必要がない場合に、増幅部の出力を停止させることができる。したがって、出力部からノイズが発生するのを防止することができる。
【００１１】
第２の発明は、第１の発明に従属し、少なくとも半二重通信を行う通信部と、通信部と増幅部との間に設けられ、音声信号が入出力される入出力部と、入出力部への入出力の開始および停止を制御する、入出力制御部をさらに備え、増幅制御部は、入出力制御部によって入出力部への入出力が開始されてから停止されるまでの間において、増幅部の出力を開始または停止させる。
【００１２】
第２の発明では、通信部（６２）は少なくとも半二重通信を行う。入出力部（６４）は、通信部と増幅部との間に設けられ、音声信号が入出力される。入出力制御部（６０、Ｓ１、Ｓ３５、Ｓ６５、Ｓ９５、Ｓ１２７）は、入出力部への入出力の開始および停止を制御する。つまり、入出力部への音声信号の入出力が行われている場合に、増幅部の出力が開始または停止される。
【００１３】
第２の発明によれば、増幅部の出力の開始または停止に起因して出力部からノイズが発生するのを防止することができる。
【００１４】
第３の発明は、受信した音声信号に対応する音声を出力する出力部と、出力部の前段に設けられ、受信した音声信号を増幅する増幅部を備え、１または複数の相手機器との間で半二重通信を行う電子機器の出力制御プログラムであって、電子機器のプロセッサに、相手機器が発言権を取得したときに、増幅部の出力を開始し、少なくとも相手機器が発言権を取得していないときに、当該増幅部の出力を停止させる増幅制御ステップを実行させる、出力制御プログラムである。
【００１５】
第４の発明は、受信した音声信号に対応する音声を出力する出力部と、出力部の前段に設けられ、受信した音声信号を増幅する増幅部を備え、１または複数の相手機器との間で半二重通信を行う電子機器の出力制御方法であって、電子機器のプロセッサは、相手機器が発言権を取得したときに、増幅部の出力を開始し、少なくとも相手機器が発言権を取得していないときに、当該増幅部の出力を停止させる、出力制御方法である。
【００１６】
第３および第４の発明においても、第１の発明と同様に、出力部からノイズが発生するのを防止することができる。
【発明の効果】
【００１７】
この発明によれば、出力部からノイズが発生するのを防止することができる。
【００１８】
この発明の上述の目的，その他の目的，特徴および利点は、図面を参照して行う以下の実施例の詳細な説明から一層明らかとなろう。
【図面の簡単な説明】
【００１９】
【図１】図１はこの発明の一実施例の携帯電話機の電気的な構成を示すブロック図である。
【図２】図２は図１に示すプロセッサの内部および音声の入出力に関連する電気的な構成を示すブロック図である。
【図３】図３は図１に示す携帯電話機を用いたＰＴＴ通話システムの一例を示す図である。
【図４】図４は図１に示すＲＡＭのメモリマップの一例を示す図である。
【図５】図５は図２に示すプロセッサ（制御回路）のＰＴＴ通話処理の第１の一部を示すフロー図である。
【図６】図６は図２に示すプロセッサ（制御回路）のＰＴＴ通話処理の第２の一部を示すフロー図である。
【図７】図７は図２に示すプロセッサ（制御回路）のＰＴＴ通話処理の第３の一部を示すフロー図である。
【図８】図８は図２に示すプロセッサ（制御回路）のＰＴＴ通話処理の第４の一部を示すフロー図である。
【図９】図９は図２に示すプロセッサ（制御回路）のＰＴＴ通話処理の第５の一部を示すフロー図である。
【図１０】図１０は図２に示すプロセッサ（制御回路）のＰＴＴ通話処理の第６の一部を示すフロー図である。
【図１１】図１１は図２に示すプロセッサ（制御回路）のＰＴＴ通話処理の第７の一部を示すフロー図である。
【図１２】図１２は図２に示すプロセッサ（制御回路）のＰＴＴ通話処理の第８の一部を示すフロー図である。
【発明を実施するための形態】
【００２０】
図１を参照して、この実施例の電子機器としての携帯電話機１０は、プロセッサ１２を含む。このプロセッサ１２には、アンテナ１４、キー入力装置１６、表示ドライバ１８、ＲＡＭ２２、フラッシュメモリ２４、外部アンプ２６、第２スピーカ３０、第１マイク３２、第２マイク３４、イヤホンジャック３６およびＲＳＭ（Ｒｅｍｏｔｅ  Ｓｐｅａｋｅｒ  Ｍｉｃｒｏｐｈｏｎｅ）用端子３８が接続される。また、表示ドライバ１８には、ディスプレイ２０が接続される。そして、外部アンプ２６には、第１スピーカ２８が接続される。
【００２１】
プロセッサ１２は、コンピュータまたはベースバンドチップとも呼ばれ、携帯電話機１０の全体制御を司るために複数の回路を含む。ＲＡＭ２２は、プロセッサ１８の作業領域（描画領域を含む。）ないしバッファ領域として用いられる。フラッシュメモリ２４には、通話ないし通信の相手の名称、電話番号および電子メールアドレスなどを記述したアドレス帳のデータや携帯電話機１０の文字、画像、音声、音および映像のようなコンテンツのデータが記録される。
【００２２】
キー入力装置１６は、操作部とも呼ばれ、ＰＴＴボタン、ダイヤルキー、通話キー、機能キーおよび終話キーなどを含む。また、使用者が操作したキーの情報（キーデータ）はプロセッサ１２に入力される。
【００２３】
表示ドライバ１８は、プロセッサ１２の指示の下、ＬＣＤのようなディスプレイ２０の表示を制御する。また、表示ドライバ１８は、ディスプレイ２０に表示する画像に対応する画像データを一時的に記憶するビデオメモリ（ＶＲＡＭ）を含む。
【００２４】
プロセッサ１２の内部では、デジタル音声信号がアナログ信号に変換され、アナログ音声信号に対応する音声ないし音が、第１スピーカ２８、第２スピーカ３０、イヤホンのスピーカ（イヤホンスピーカ）４０（図２参照）またはＲＳＭのスピーカ（ＲＳＭスピーカ）４２（図２参照）から出力される。ただし、第１スピーカ２８から音声ないし音が出力される場合には、プロセッサ１２から出力されたアナログ音声信号は、外部アンプ（アナログアンプ）２６で増幅される。また、イヤホンスピーカ４０は、イヤホンジャック３６に接続されたイヤホンに設けられるスピーカである。また、ＲＳＭスピーカ４２は、ＲＳＭ用端子３８に接続されたＲＳＭに設けられるスピーカである。
【００２５】
また、第１マイク３２、第２マイク３４、イヤホンのマイク（イヤホンマイク）４４（図２参照）またはＲＳＭのマイク（ＲＳＭマイク）４６を通して入力される音声ないし音についてのアナログ音声信号は、プロセッサ１２の内部で、デジタル音声信号に変換される。ただし、イヤホンマイク４４は、イヤホンジャック３６に接続されたイヤホンに設けられるマイクである。また、ＲＳＭマイク４６は、ＲＳＭ用端子３８に接続されたＲＳＭに設けられるマイクである。さらに、ＲＳＭには、ＰＴＴボタンが設けられ、そのキーデータもＲＳＭ用端子３８を介してプロセッサ１２に入力される。
【００２６】
第１スピーカ２８および第１マイク３２は、携帯電話機１０を使用者の顔から離した状態（いわゆるハンズフリー）で通話する場合に用いられる。第２スピーカ３０および第２マイク３４は、携帯電話機１０を使用者の顔に当てて通話する場合に用いられる。後述するイヤホンスピーカ４０およびイヤホンマイク４４は、有線のヘッドセットアクセサリ（マイク付きのイヤホン）で構成され、このヘッドセットアクセサリをイヤホンジャック３６に接続して通話する場合に用いられる。ＲＳＭスピーカ４２およびＲＳＭマイク４６は、有線の専用アクセサリ（ＲＳＭ）で構成され、このＲＳＭをＲＳＭ用端子３８に接続して通話する場合に用いられる。
【００２７】
図２は、図１に示すプロセッサ１２の内部および音声の入出力に関連する電気的な構成を示すブロック図である。図２に示すように、プロセッサ１２は、制御回路６０を含み、制御回路６０は、外部アンプ２６、無線通信回路６２、ＤＳＰ６４、第１マルチプレクサ（ＭＵＸ）６６、第１アンプ６８、第２アンプ７０、第３アンプ７２、第４アンプ７４、内部アンプ８４、第２ＭＵＸ９４および第５アンプ９６に接続される。
【００２８】
無線通信回路６２は、プロセッサ１２の内部において、アンテナ１４と接続されるとともに、その送信経路および受信経路がＤＳＰ６４に接続される。ＤＳＰ６４は、音声回路として機能し、受信音声信号を復号したり、送信音声信号を符号化したりする。このＤＳＰ６４への音声信号の入出力は制御回路６０によって制御される。
【００２９】
無線通信回路６２の受信経路は、ＤＳＰ６４およびＤ／Ａ変換器６５を介して、第１ＭＵＸ６６の入力端に接続される。この第１ＭＵＸ６６は、セレクタないしスイッチ回路として機能し、４つの出力端を有している。各出力端子には、アナログアンプ、すなわち第１アンプ６８、第２アンプ７０、第３アンプ７２および第４アンプ７４が接続される。
【００３０】
具体的には、１つ目の出力端は第１アンプ６８の入力端が接続され、この第１アンプ６８の出力端は外部アンプ２６の入力端に接続される。２つ目の出力端は第２アンプ７０の入力端に接続され、この第２アンプ７０の出力端は第２スピーカ３０に接続される。３つ目の出力端は第３アンプ７２の入力端に接続され、この第３アンプ７２の出力端はイヤホンスピーカ４０に接続される。ただし、イヤホンジャック３６にヘッドセットアクセサリが接続されている場合である。また、図２では、イヤホンジャック３６およびＲＳＭ用端子３８を省略してある。４つ目の出力端は第４アンプ７４の入力端に接続され、この第４アンプ７４の出力端は内部アンプ（アナログアンプ）８４を介してＲＳＭスピーカ４２に接続される。ただし、ＲＳＭ用端子３８にＲＳＭが接続されている場合である。
【００３１】
また、第２ＭＵＸ９４は、セレクタないしスイッチ回路として機能し、４つの入力端を有している。第１マイク３２が、１つ目の入力端に接続される。第２マイク３４が、２つ目の入力端に接続される。イヤホンマイク４４が、３つ目の入力端に接続される。ただし、イヤホンジャック３６にイヤホンが接続されている場合である。そして、ＲＳＭマイク４６が、４つ目の入力端に接続される。ただし、ＲＳＭ用端子３８にＲＳＭが接続されている場合である。また、第２ＭＵＸ９４の出力端は、第５アンプ（アナログアンプ）９６の入力端に接続される。さらに、第５アンプ９６の出力端は、Ａ／Ｄ変換器９８およびＤＳＰ６４を介して、無線通信回路６２の送信経路に接続される。
【００３２】
制御回路６０は、通話モードに応じて、第１ＭＵＸ６６の出力および第２ＭＵＸ９４の入力を選択する。この実施例では、通話モードは、スピーカモード、レシーバモード、イヤホンモードおよびＲＳＭモードに分類される。スピーカモードでは、第１スピーカ２８と第１マイク３２が使用される。レシーバモードでは、第２スピーカ３０と第２マイク３４が使用される。イヤホンモードでは、イヤホンスピーカ４０とイヤホンマイク４４が使用される。ＲＳＭモードでは、ＲＳＭスピーカ４２とＲＳＭマイク４６が使用される。
【００３３】
したがって、スピーカモードが設定されている場合には、制御回路６０によって、第１ＭＵＸ６６の第１出力端が選択され、第２ＭＵＸ９４の第１入力端が選択される。また、レシーバモードが設定されている場合には、制御回路６０によって、第１ＭＵＸ６６の第２出力端が選択され、第２ＭＵＸ９４の第２入力端が選択される。さらに、イヤホンモードが設定されている場合には、制御回路６０によって、第１ＭＵＸ６６の第３出力端が選択され、第２ＭＵＸ９４の第３入力端が選択される。そして、ＲＳＭモードが設定されている場合には、制御回路６０によって、第１ＭＵＸ６６の第４出力端が選択され、第２ＭＵＸ９４の第４入力端が選択される。
【００３４】
詳細な説明は省略するが、通話モードは、通話についてのメニューを用いて、使用者によって設定される。ただし、イヤホンモードやＲＳＭモードは、ヘッドセットアクセサリ（マイク付きのイヤホン）やＲＳＭが接続されたことを機械的にまたは電気的に検出することにより、設定するようにしてもよい。
【００３５】
また、外部アンプ２６、第１アンプ６８、第２アンプ７０、第３アンプ７２、第４アンプ７４、内部アンプ８４および第５アンプ９６は、制御回路６０によって、オン／オフ（出力の開始／停止）および増幅率の値を制御される。
【００３６】
なお、図２では、キー入力装置１６、表示ドライバ１８、ディスプレイ２０、ＲＡＭ２２およびフラッシュメモリ２４を省略するが、これらは制御回路６０に接続される。
【００３７】
無線通信回路６２はＣＤＭＡ方式での無線通信を行うための回路である。たとえば、使用者がキー入力装置１６を用いて電話発信（発呼）を指示すると、無線通信回路６２は、制御回路６０の指示の下、電話発信処理を実行し、アンテナ１４を介して電話発信信号を出力する。電話発信信号は、無線基地局および通信網（携帯電話網を含む）を経て、相手の電話機に送信される（図３参照）。そして、相手の電話機において着信処理が行われると、通信可能状態が確立され、制御回路６０は通話処理を実行する。
【００３８】
ここで、通常の通話処理について具体的に説明する。ただし、通話モードとしてレシーバモードが設定されているものとする。相手の電話機から送られてきた変調音声信号はアンテナ１４によって受信される。受信された変調音声信号には、制御回路６０の指示の下、無線通信回路６２によって復調処理が施され、ＤＳＰ６４によって復号処理が施される。また、これらの処理によって得られた受話音声信号は、Ｄ／Ａ変換器６５によってアナログ音声信号に変換され、第１ＭＵＸ６６に入力される。そして、制御回路６０の指示の下、第１ＭＵＸ６６によって第２出力端から出力され、第２アンプ７０で増幅された後、第２スピーカ３０に与えられ（送信され）、アナログ音声信号に対応する受話音声ないし音が第２スピーカ３０から出力される。
【００３９】
一方、第２マイク３４を通して取り込まれた送話音声信号は、第２ＭＵＸ９４に入力され、制御回路６０の指示の下、第２ＭＵＸ９４の出力端から出力され、第５アンプ９６で増幅される。増幅された送話音声信号は、Ａ／Ｄ変換器９８によってデジタル音声信号に変換される。このデジタル音声信号には、ＤＳＰ６４によって符号化処理が施され、さらに、無線通信回路６２によって変調処理が施され、アンテナ１４を介して出力される。したがって、変調音声信号は、無線基地局および通信網を介して相手の電話機に送信される。
【００４０】
また、相手の電話機からの電話発信信号がアンテナ１４によって受信されると、無線通信回路６２は、電話着信（着呼）を制御回路６０に通知する。これに応じて、プロセッサ１２（制御回路６０）は、表示ドライバ１８を制御して、着信通知に記述された発信元情報（電話番号など）をディスプレイ２０に表示する。また、これとほぼ同時に、制御回路６０は、たとえば第１スピーカ２８から着信音（着信メロディ、着信音声と言うこともある。）を出力させる。
【００４１】
そして、使用者が通話キーを用いて応答操作を行うと、無線通信回路６２は、制御回路６０の指示の下、電話着信処理を実行する。さらに、通信可能状態が確立され、制御回路６０は上述した通常の通話処理を実行する。
【００４２】
また、通話可能状態に移行した後に終話キーによって通話終了操作が行われると、制御回路６０は、無線通信回路６２を制御して、通話相手に通話終了信号を送信する。そして、通話終了信号の送信後、制御回路６０は通話処理を終了する。また、先に通話相手から通話終了信号を受信した場合も、制御回路６０は通話処理を終了する。さらに、通話相手によらず、移動通信網から通話終了信号を受信した場合も、制御回路６０は通話処理を終了する。
【００４３】
なお、使用されるスピーカやマイクなどが異なる以外は、スピーカモードやイヤホンモードが設定された場合についても同様であり、本願発明の本質的な内容ではないため、通常の通話処理におけるスピーカモードやイヤホンモードについての説明は省略する。
【００４４】
また、このような携帯電話機１０を用いたＰＴＴ通信システム（以下、単に「システム」という。）１００の一例が図３に示される。図３に示すように、システム１００は、ＰＴＴサーバ１０２を含み、このＰＴＴサーバ１０２は、ＰＴＴ通話（ＰＴＴ通信）を要求してきた携帯電話機１０とそのＰＴＴ通話の相手となる携帯電話機１０とを管理する機能や複数の携帯電話機１０間のＰＴＴ通話を仲介する機能を有する。ＰＴＴサーバ１０２は携帯電話網（ネットワーク）１０４を介して複数の無線基地局１０６に接続される。また、システム１００は、複数の携帯電話機１０を含み、各携帯電話機１０は、携帯電話網１０４および無線基地局１０６を介して他の携帯電話機１０との間で通信（ＰＴＴ通話の処理）を行う。
【００４５】
以下、ＰＴＴ通話の処理について簡単に説明する。ただし、通話モードとして、レシーバモードが設定されているものとする。
【００４６】
或る携帯電話機１０からＰＴＴサーバ１０２にＰＴＴ通話の要求があると、ＰＴＴサーバ１０２は、まず、ＰＴＴ通話のための仲介処理を行う。ただし、ＰＴＴ通話の要求は、ＰＴＴ通話であること、希望するＰＴＴ通話の相手すなわち他の携帯電話機１０の識別情報を含む。この実施例では、識別情報は、携帯電話機１０の電話番号である。ただし、電話番号に代えて、電話番号に相当する情報（電話番号以外の携帯電話機１０を特定するための情報）であってもよい。
【００４７】
ＰＴＴサーバ１０２は、ＰＴＴ通話の要求を受けると、ＰＴＴ通話のための呼び出し（ＰＴＴコール）を他の（相手の）携帯電話機１０に対して行う。これに応答して、他の携帯電話機１０から参加の通知がＰＴＴサーバ１０２にあると、ＰＴＴ通話の要求があった携帯電話機１０と参加の通知があった携帯電話機１０とを今回ＰＴＴ通話を行うグループとして設定する。つまり、ＰＴＴサーバ１０２は、ＰＴＴ通話を行う複数の携帯電話機１０をグループ化して、グループデータベース（グループＤＢ）１０２ａに登録する。そして、ＰＴＴサーバ１０２は、ＰＴＴ通話の要求があった携帯電話機１０および参加の通知があった携帯電話機１０のそれぞれと接続状態を確立する。これ以降では、ＰＴＴサーバ１０２は、グループ化された携帯電話機１０を対象としてＰＴＴ通話の処理を行う。
【００４８】
なお、詳細な説明は省略するが、ＰＴＴ通話が終了すると、グループＤＢ１０２ａに登録したグループは消去される。
【００４９】
たとえば、ＰＴＴ通話を行うグループのうちの或る携帯電話機１０において、ＰＴＴボタンを押下等することにより発言要求（フロアの取得要求）が発せられる。ＰＴＴサーバ１０２は、発言要求を受けると、他に発言中の使用者（フロアを取得している他の携帯電話機１０）が存在するかどうかを判断する。ただし、「フロア」は「発言権」を意味する。
【００５０】
他に発言中の使用者（携帯電話機１０）が存在しなければ、ＰＴＴサーバ１０２は、フロアの取得要求を発した或る携帯電話機１０にフロアを与える。このとき、ＰＴＴサーバ１０２は、ＰＴＴ通話のグループ内の全携帯電話機１０に、フロアを取得した携帯電話機１０の識別情報（以下、「フロア取得情報」ということある。）を通知する。
【００５１】
或る携帯電話機１０がフロアを取得すると、ＰＴＴボタンを押下している間、当該携帯電話機１０（の使用者）は発言可能な状態となる。このとき、当該或る携帯電話機１０の使用者（発言者）の音声は、第２マイク３４を通して入力され、そのアナログ音声信号（送話音声信号）は、制御回路６０の指示の下、第２ＭＵＸ９４の出力端から出力される。第２ＭＵＸ９４から出力された送話音声信号は、第５アンプ９６によって増幅され、Ａ／Ｄ変換器９８によってデジタル音声信号に変換された後、ＤＳＰ６４に入力される。デジタル音声信号は、ＤＳＰ６４によってパケットデータ化（符号化）され、パケットデータ化された音声データ（音声パケット）は無線通信回路６２およびアンテナ１４を介して出力される。携帯電話機１０から出力された音声パケットは、無線基地局１０６および携帯電話網１０４を介してＰＴＴサーバ１０２に送信される。ＰＴＴサーバ１０２は、音声パケットを受信すると、グループＤＢ１０２ａを参照して、携帯電話網１０４および無線基地局１０６を介して、グループとして登録されている他の携帯電話機１０のすべてに音声パケットを送信する。各携帯電話機１０では、ＰＴＴサーバ１０２からの音声パケットをアンテナ１４を介して受信すると、制御回路６０の指示の下、無線通信回路６２によって復調処理が施され、ＤＳＰ６４によって、パケット化されたデータが元の音声データに復号される。そして、ＤＳＰ６４から出力（再生）された音声データは、Ｄ／Ａ変換器６５によってアナログ音声信号に変換され、制御回路６０の指示の下、第１ＭＵＸ６６の第２出力端から出力され、第２アンプ７０で増幅され、第２スピーカ３０に与えられる（送信される）。したがって、アナログ音声信号に対応する音声が第２スピーカ３０から出力される。
【００５２】
ただし、ＰＴＴサーバ１０２は、携帯電話機１０からフロアの取得要求があったときに、発言中の他の使用者（携帯電話機１０）が存在する場合には、フロアの取得要求のあった携帯電話機１０に対して拒否の応答を返す。また、ＰＴＴサーバ１０２は、複数の携帯電話機１０からのフロアの取得要求が重なった場合には、所定のルールに従って各携帯電話機１０に優先順位を決定し、これに基づいて順番にフロアを付与する。たとえば、所定のルールとしては、発言回数の少ない順に優先順位を高くしたり、フロアの取得要求に対して拒否された回数の多い順に優先順位を高くしたりすることが該当する。
【００５３】
また、携帯電話機１０では、フロア取得後に、ＰＴＴボタン（通話キー）が離される（オフされる）と、発言を終了する。ＰＴＴボタンがオフされると、フロアが開放され、ＰＴＴサーバ１０２にその旨が通知される。このとき、ＰＴＴサーバ１０２は、グループ内の全携帯電話機１０にフロアが解放されたことを通知する。
【００５４】
詳細な説明は省略するが、通話モードとして、スピーカモード、イヤホンモードまたはＲＳＭモードが設定されている場合も同様である。
【００５５】
ただし、スピーカモードが設定された場合には、携帯電話機１０の使用者（発言者）の音声は、第１マイク３２を通して入力され、その送話音声信号が、制御回路６０の指示の下、第２ＭＵＸ９４の出力端から出力される。第２ＭＵＸ９４から出力された送話音声信号は、第５アンプ９６によって増幅され、Ａ／Ｄ変換器９８によってデジタル音声信号に変換される。このデジタル音声信号は、ＤＳＰ６４によってパケットデータ化され、音声パケットは無線通信回路６２およびアンテナン１４を介して出力される。一方、携帯電話機１０では、ＰＴＴサーバ１０２からの音声パケットをアンテナ１４を介して受信すると、制御回路６０の指示の下、無線通信回路６２によって復調処理が施され、ＤＳＰ６４によって、元の音声データに復号される。そして、ＤＳＰ６４から出力された音声データは、Ｄ／Ａ変換器６５によってアナログ音声信号に変換され、制御回路６０の指示の下、第１ＭＵＸ６６の第１出力端から出力され、第１アンプ６８によって増幅される。さらに、第１アンプ６８によって増幅されたアナログ音声信号は、外部アンプ２６によって増幅され、そして、外部アンプ２６によって増幅されたアナログ音声信号に対応する音声が第１スピーカ２８から出力される。
【００５６】
また、イヤホンモードが設定された場合には、携帯電話機１０の使用者（発言者）の音声は、イヤホンマイク４４を通して入力され、その送話音声信号が、制御回路６０の指示の下、第２ＭＵＸ９４の出力端から出力される。第２ＭＵＸ９４から出力された送話音声信号は、第５アンプ９６によって増幅され、Ａ／Ｄ変換器９８によってデジタル音声信号に変換される。このデジタル音声信号は、ＤＳＰ６４によってパケットデータ化され、音声パケットは無線通信回路６２およびアンテナン１４を介して出力される。一方、携帯電話機１０では、ＰＴＴサーバ１０２からの音声パケットをアンテナ１４を介して受信すると、制御回路６０の指示の下、無線通信回路６２によって復調処理が施され、ＤＳＰ６４によって、元の音声データに復号される。そして、ＤＳＰ６４から出力された音声データは、Ｄ／Ａ変換器６５によってアナログ音声信号に変換され、制御回路６０の指示の下、第１ＭＵＸ６６の第３出力端から出力され、第３アンプ７２によって増幅される。そして、第アンプ７２によって増幅されたアナログ音声信号に対応する音声がイヤホンスピーカ４０から出力される。
【００５７】
さらに、ＲＳＭモードが設定された場合には、携帯電話機１０の使用者（発言者）の音声は、ＲＳＭマイク４６を通して入力され、その送話音声信号が、制御回路６０の指示の下、第２ＭＵＸ９４の出力端から出力される。第２ＭＵＸ９４から出力された送話音声信号は、第５アンプ９６によって増幅され、Ａ／Ｄ変換器９８によってデジタル音声信号に変換される。このデジタル音声信号は、ＤＳＰ６４によってパケットデータ化され、音声パケットは無線通信回路６２およびアンテナン１４を介して出力される。一方、携帯電話機１０では、ＰＴＴサーバ１０２からの音声パケットをアンテナ１４を介して受信すると、制御回路６０の指示の下、無線通信回路６２によって復調処理が施され、ＤＳＰ６４によって、元の音声データに復号される。そして、ＤＳＰ６４から出力された音声データは、Ｄ／Ａ変換器６５によってアナログ音声信号に変換され、制御回路６０の指示の下、第１ＭＵＸ６６の第４出力端から出力され、第４アンプ７４によって増幅される。さらに、第４アンプ７４によって増幅されたアナログ音声信号は、内部アンプ８４によって増幅され、そして、内部アンプ８４によって増幅されたアナログ音声信号に対応する音声がＲＳＭスピーカ４２から出力される。
【００５８】
このような携帯電話機１０では、通常、ＰＴＴ通話時において、スピーカ（２８、３０、４０、４２）の出力、すなわちアンプ（２６、６８、７０、７２、７４、８４）の出力は維持（オン）された状態である。したがって、いずれの携帯電話機１０もフロアを取得していない場合には、スピーカ（２８、３０、４０、４２）からノイズ（ホワイトノイズ）が発生する場合がある。このようなノイズは使用者にとって不快であり、また、ＰＴＴ通話を記録（録音）する場合には、ノイズも記録されてしまう。
【００５９】
そこで、この実施例では、スピーカ（２８、３０、４０、４２）から音声や音を出力しない不使用時には、スピーカ（２８、３０、４０、４２）の前段に設けられているアンプ（２６、６８、７０、７２、７４、８４）をオフすることにより、スピーカ（２８、３０、４０、４２）からノイズが発生するのを防止するようにしてある。
【００６０】
ここで、スピーカ（２８、３０、４０、４２）の前段とは、信号の送信（出力）方向が、入力から出力方向に向かって前後が定義された場合の前段を意味する。そのため、スピーカ（２８、３０、４０、４２）の前段にアンプ（２６、６８、７０、７２、７４、８４）が設けられている場合には、音声信号がアンプ（２６、６８、７０、７２、７４、８４）側からスピーカ（２８、３０、４０、４２）側に送信されることになる。
【００６１】
具体的には、他の携帯電話機１０がフロアを取得している場合に、アンプ（２６、６８、７０、７２、７４、８４）をオンし、いずれの携帯電話機１０もフロアを取得していない場合に、アンプ（２６、６８、７０、７２、７４、８４）をオフする。
【００６２】
また、ＤＳＰ６４の入出力を開始した後に、他の携帯電話機１０（他者）がフロアを取得した場合に、アンプ（２６、６８、７０、７２、７４、８４）をオンし、その出力を開始し、当該他者がフロアを開放した場合に、厳密に言うと、誰もフロアを取得していない場合に、アンプ（２６、６８、７０、７２、７４、８４）をオフすることにより、アンプ（２６、６８、７０、７２、７４、８４）のオン／オフに起因してスピーカ（２８、３０、４０、４２）からノイズが発生するのを防止するようにしてある。
【００６３】
図４は図１に示したＲＡＭ２４のメモリマップ７０の一例を示す図である。図４に示すように、ＲＡＭ２４は、プログラム記憶領域７２およびデータ記憶領域７４を含む。
【００６４】
プログラム記憶領域７２には、通信プログラム７２ａおよびアンプ制御プログラム７２ｂなどが記憶される。通信プログラム７２ａは、他の電話機と通話ないし通信したり、他のコンピュータと通信したりするためのプログラムである。アンプ制御プログラム７２ｂは、アンプ（２６、６８、７０、７２、７４、９６）のオン／オフおよび増幅率の値を制御するためのプログラムである。
【００６５】
図示は省略するが、プログラム記憶領域７２には、携帯電話機が備える様々な機能についてのプログラム、たとえば、スケジュール、アラーム、アドレス帳などのプログラム（アプリケーションプログラム）も記憶している。
【００６６】
データ記憶領域７４には、フロアデータ７４ａおよび設定モードデータ７４ｂが記憶される。また、データ記憶領域７４には、タイマ７４ｃが設けられる。フロアデータ７４ａは、ＰＴＴサーバ１０２から通知されたフロア取得情報についてのデータであり、通知される度に更新される。設定モードデータ７４ｂは、いずれの通話モードが設定されているかを示すデータであり、２ビットのレジスタで構成される。具体的には、スピーカモードが設定されている場合には、レジスタにデータ値“００”が設定される。レシーバモードが設定されている場合には、レジスタにデータ値“０１”が設定される。イヤホンモードが設定されている場合には、レジスタにデータ値“１０“が設定される。ＲＳＭモードが設定されている場合には、レジスタにデータ値“１１”が設定される。タイマ７４ｃは、誰も発言していない状態、すなわちいずれの携帯電話機１０もフロアを取得していない状態の時間をカウントするためのタイマである。
【００６７】
図示は省略するが、データ記憶領域７４には、使用者の操作に応じたキーデータや各種のプログラムの実行に必要な他のデータが記憶されたり、他のタイマ（カウンタ）やレジスタが設けられたりする。
【００６８】
図５−図１２は、プロセッサ１２（制御回路６０）のＰＴＴ通話処理を示すフロー図である。以下、ＰＴＴ通話処理について説明するが、スピーカモード、レシーバモード、イヤホンモードおよびＲＳＭモードのそれぞれで実行される同じ処理については、重複する記載を出来る限り省略して、簡単に説明することにする。
【００６９】
図５に示すように、プロセッサ１２（制御回路６０）は、ＰＴＴ通話処理を開始すると、ＤＳＰ６４への入出力を開始する。ただし、ＰＴＴ通話処理を開始したときには、外部アンプ２６、第１アンプ６８、第２アンプ７０、第３アンプ７２、第４アンプ７４および内部アンプ８４はオフ（出力を停止）された状態である。
【００７０】
次のステップＳ３では、スピーカモードが設定されているかどうかを判断する。つまり、プロセッサ１２（制御回路６０）は、設定モードデータ７４ｂが“００”を示すかどうかを判断する。ステップＳ３で“ＮＯ”であれば、つまりスピーカモードが設定されていなければ、図７に示すステップＳ３７に進む。一方、ステップＳ３で“ＹＥＳ”であれば、つまりスピーカモードが設定されていれば、ステップＳ５で、タイマ７４ｃをリセットおよびスタートして、ステップＳ７で、待機モードを設定する。ここでは、プロセッサ１２（制御回路６０）は、表示ドライバ１６を制御して、ディスプレイ２０に待機状態であることを示すアイコンを表示する。または、待機状態であることを示す文字列を表示してもよい。ただし、待機状態とは、携帯電話機１０自身または他者がフロアを取得するのを待機している状態、すなわち誰も発言していない状態を意味する。
【００７１】
続くステップＳ９では、自身がフロアを取得したかどうかを判断する。つまり、プロセッサ１２（制御回路６０）は、ＰＴＴサーバ１０２からフロア取得情報が通知され、このフロア取得情報に当該携帯電話機１０の識別情報が記述されているかどうかを判断する。ステップＳ９で“ＹＥＳ”であれば、つまり自身がフロアを取得すれば、ステップＳ１１で、送話モードを設定する。ここでは、プロセッサ１２（制御回路６０）は、表示ドライバ１６を制御して、ディスプレイ２０に送話可能な状態（フロア取得中）を示すアイコンを表示する。または、送話可能な状態（フロア取得中）であることを示す文字列を表示してもよい。ただし、送話可能な状態とは、発言可能な状態（フロアを取得した状態）を意味する。このとき、制御回路６０は、第２ＭＵＸ９４を指示して、第２入力端子から入力を選択する。したがって、使用者がＰＴＴボタンを押下している間に、使用者が発言すると、その発言（音声）が第１マイク３２から入力され、上述したような処理が施され、対応する音声データ（音声パケット）がＰＴＴサーバ１０２に送信される。このような音声の入力および入力された音声に対応する音声パケットの送信処理は、ＰＴＴ通話処理とは別の処理で実行される。
【００７２】
続くステップＳ１３では、自身がフロアを開放したかどうかを判断する。ここでは、プロセッサ１２（制御回路６０）は、ＰＴＴボタンに対応するキーデータの入力の有無を検出することにより、ＰＴＴボタンを離した（オフした）かどうかを判断する。ステップＳ１３で“ＮＯ”であれば、つまり自身がフロアを開放していなければ、そのまま同じステップＳ１３に戻る。一方、ステップＳ１３で“ＹＥＳ”であれば、つまりフロアを開放すれば、ステップＳ１５で、自身がフロアの開放をＰＴＴサーバ１０２に通知した後、ステップＳ５に戻る。
【００７３】
また、ステップＳ９で“ＮＯ”であれば、つまり自身がフロアを取得していなければ、ステップＳ１７で、他者がフロアを取得したかどうかを判断する。ここでは、プロセッサ１２（制御回路６０）は、ＰＴＴサーバ１０２からフロア取得情報が通知され、このフロア取得情報に他の携帯電話機１０の識別情報が記述されているかどうかを判断する。
【００７４】
ステップＳ１７で“ＮＯ”であれば、つまり他者がフロアを取得していなければ、図６に示すステップＳ３１に進む。一方、ステップＳ１７で“ＹＥＳ”であれば、つまり他者がフロアを取得すれば、ステップＳ１９で、第１アンプ６８をオンし、ステップＳ２１で、外部アンプ２６をオンし、ステップＳ２３で、受話モードを設定する。このステップＳ２３では、プロセッサ１２（制御回路６０）は、表示ドライバ１８を制御して、ディスプレイ２０に受話可能な状態を示すアイコンを表示する。または、受話可能な状態であることを示す文字列を表示してもよい。ただし、受話可能な状態とは、他者の発言を聞くことが可能な状態を意味する。このとき、制御回路６０は、第１ＭＵＸ６６に第１出力端を選択させる。したがって、ＰＴＴサーバ１０２からの音声パケットをアンテナ１４を介して受信すると、上述したような処理が施され、当該音声パケットに対応する音声が第１スピーカ２８から出力される。このような音声パケットの受信処理および音声パケットに対応する音声の出力は、ＰＴＴ通話処理とは別の処理で実行される。
【００７５】
続いて、ステップＳ２５では、他者がフロアを開放したかどうかを判断する。ここでは、プロセッサ１２（制御回路６０）は、ＰＴＴサーバ１０２から他者がフロアを開放した旨の通知を受信したかどうかを判断する。ステップＳ２５で“ＮＯ”であれば、つまり他者がフロアを開放していなければ、そのままステップＳ２５に戻る。一方、ステップＳ２５で“ＹＥＳ”であれば、つまり他者がフロアの開放であれば、ステップＳ２７で、外部アンプ２６をオフし、ステップＳ２９で、第１アンプ６８をオフし、ステップＳ５に戻る。
【００７６】
図６に示すように、ステップＳ３１では、一定時間を経過したかどうかを判断する。ここでは、プロセッサ１２（制御回路６０）は、タイマ７４ｃのカウント値が一定時間（たとえば、５秒ないし１０秒）を超えたかどうかを判断する。ステップＳ３１で“ＮＯ”であれば、つまり一定時間を経過していなければ、図５に示したステップＳ９に戻る。一方、ステップＳ３１で“ＹＥＳ”であれば、つまり一定時間を経過すれば、ステップＳ３３で、ＰＴＴ通話を終了し、ステップＳ３５で、ＤＳＰ６４の入出力を停止して、ＰＴＴ通話処理を終了する。
【００７７】
この実施例では、ＰＴＴ通話を行うグループに含まれるいずれの携帯電話機１０もフロアを取得しない（誰も発言していない）時間が一定時間を経過した場合にＰＴＴ通話を終了するようにしてあるが、使用者がＰＴＴ通話の終了を指示した場合にも、ＰＴＴ通話は終了される。たとえば、終話キーが操作されると、ＰＴＴ通話の終了が指示される。
【００７８】
図７に示すように、ステップＳ３７では、レシーバモードが設定されているかどうかを判断する。ここでは、プロセッサ１２（制御回路６０）は、設定モードデータ７４ｂが“０１”を示すかどうかを判断する。ステップＳ３７で“ＮＯ”であれば、つまりレシーバモードが設定されていなければ、図９に示すステップＳ６７に進む。一方、ステップＳ３７で“ＹＥＳ”であれば、つまりレシーバモードが設定されていれば、ステップＳ３９で、タイマ７４ｃをリセットおよびスタートし、ステップＳ４１で、待機モードを設定する。
【００７９】
次のステップＳ４３では、自身がフロアを取得したかどうかを判断する。ステップＳ４３で“ＹＥＳ”であれば、ステップＳ４５で、送話モードを設定する。このステップＳ４５では、制御回路６０は、第２ＭＵＸ９４に第２入力端子への入力を選択させる。
【００８０】
そして、ステップＳ４７で、自身がフロアを開放したかどうかを判断する。ステップＳ４７で“ＮＯ”であれば、そのまま同じステップＳ４７に戻る。一方、ステップＳ４７で“ＹＥＳ”であれば、ステップＳ４９で、フロアの開放をＰＴＴサーバ１０２に通知して、ステップＳ３９に戻る。
【００８１】
また、ステップＳ４３で“ＮＯ”であれば、ステップＳ５１で、他者がフロアを取得したかどうかを判断する。ステップＳ５１で“ＮＯ”であれば、後述する図８に示すステップＳ６１に進む。一方、ステップＳ５１で“ＹＥＳ”であれば、ステップＳ５３で、第２アンプ７０をオンし、ステップＳ５５で、受話モードを設定する。このステップＳ５５では、制御回路６０は、第１ＭＵＸ６６に第２出力端子を選択させる。したがって、ＰＴＴサーバ１０２からの音声パケットを受信すると、上述したような処理が施され、当該音声パケットに対応する音声が第２スピーカ３０から出力される。
【００８２】
続いて、ステップＳ５７では、他者がフロアを開放したかどうかを判断する。ステップＳ５７で“ＮＯ”であれば、同じステップＳ５７に戻る。一方、ステップＳ５７で“ＹＥＳ”であれば、つまり他者がフロアを開放すれば、ステップＳ５９で、第２アンプ７０をオフして、ステップＳ３９に戻る。
【００８３】
図８に示すように、ステップＳ６１では、一定時間を経過したかどうかを判断する。ステップＳ６１で“ＮＯ”であれば、図７に示したステップＳ４３に戻る。一方、ステップＳ６１で“ＹＥＳ”であれば、ステップＳ６３で、ＰＴＴ通話を終了し、ステップＳ６５で、ＤＳＰ６４への入出力を停止して、ＰＴＴ通話処理を終了する。
【００８４】
図９に示すように、ステップＳ６７では、イヤホンモードかどうかを判断する。ここでは、プロセッサ１２（制御回路６０）は、設定モードデータ７４ｂが“１０”を示すかどうかを判断する。ステップＳ６７で“ＮＯ”であれば、つまり設定モードデータ７４ｂが“１１”を示す場合には、ＲＳＭモードであると判断して、図１１に示すステップＳ９７に進む。一方、ステップＳ６７で“ＹＥＳ”であれば、つまりイヤホンモードであれば、ステップＳ６９で、タイマ７４ｃをリセットおよびスタートし、ステップＳ７１で、待機モードを設定する。
【００８５】
次に、ステップＳ７３では、自身がフロアを取得したかどうかを判断する。ステップＳ７３で“ＹＥＳ”であれば、ステップＳ７５で、送話モードを設定する。ここでは、制御回路６０は、第２ＭＵＸ９４に第３入力端子からの入力を選択させる。したがって、使用者の音声がイヤホンマイク４４から入力され、上述したような処理が施され、対応する音声パケットがＰＴＴサーバ１０２に送信される。
【００８６】
続いて、ステップＳ７７で、自身がフロアを開放したかどうかを判断する。ステップＳ７７で“ＮＯ”であれば、そのまま同じステップＳ７７に戻る。一方、ステップＳ７７で“ＹＥＳ”であれば、ステップＳ７９で、フロアの開放をＰＴＴサーバ１０２に通知して、ステップＳ６９に戻る。
【００８７】
また、ステップＳ７３で“ＮＯ”であれば、ステップＳ８１で、他者がフロアを取得したかどうかを判断する。ステップＳ８１で“ＮＯ”であれば、図１０に示すステップＳ９１に進む。一方、ステップＳ８１で“ＹＥＳ”であれば、ステップＳ８３で、第３アンプ７２をオンし、ステップＳ８５で、受話モードを設定する。このステップＳ８５では、制御回路６０は、第１ＭＵＸ６６に第３出力端子を選択させる。したがって、受信した音声パケットに、上述したような処理が施され、当該音声パケットに対応する音声がイヤホンスピーカ４０から出力される。
【００８８】
続いて、ステップＳ８７では、他者がフロアを開放したかどうかを判断する。ステップＳ８７で“ＮＯ”であれば、そのまま同じステップＳ８７に戻る。一方、ステップＳ８７で“ＹＥＳ”であれば、ステップＳ８９で、第３アンプ７２をオフして、ステップＳ６９に戻る。
【００８９】
図１０に示すように、ステップＳ９１では、一定時間を経過したかどうかを判断する。ステップＳ９１で“ＮＯ”であれば、図９に示したステップＳ７３に戻る。一方、ステップＳ９１で“ＹＥＳ”であれば、ステップＳ９３で、ＰＴＴ通話を終了し、ステップＳ９５で、ＤＳＰ６４への入出力を停止して、ＰＴＴ通話処理を終了する。
【００９０】
図１１に示すように、ステップＳ９７では、タイマ７４ｃをリセットおよびスタートし、次のステップＳ９９では、待機モードを設定する。続いて、ステップＳ１０１では、自身がフロアを取得したかどうかを判断する。ステップＳ１０１で““ＹＥＳ”であれば、ステップＳ１０３で、送話モードを設定する。このステップＳ１０３では、制御回路６０は、第２ＭＵＸ９４に第４出力端子を選択させる。したがって、使用者の音声がＲＳＭマイク４６から入力され、上述したような処理が施され、対応する音声パケットがＰＴＴサーバ１０２に送信される。
【００９１】
次のステップＳ１０５では、自身がフロアを開放したかどうかを判断する。ステップＳ１０５で“ＮＯ”であれば、同じステップＳ１０５に戻る。一方、ステップＳ１０５で“ＹＥＳ”であれば、ステップＳ１０７で、フロアの開放通知をＰＴＴサーバ１０２に送信して、ステップＳ９７に戻る。
【００９２】
一方、ステップＳ１０１で“ＮＯ”であれば、ステップＳ１０９で、他者がフロアを取得したかどうかを判断する。ステップＳ１０９で“ＮＯ”であれば、図１２に示すステップＳ１２３に進む。一方、ステップＳ１０９で“ＹＥＳ”であれば、ステップＳ１１１で、第４アンプ７４をオンし、ステップＳ１１３で、内部アンプ８４をオンする。次のステップＳ１１５では、受話モードを設定する。このステップＳ１１５では、制御回路６０は、第１ＭＵＸ６６に第４出力端子を選択させる。したがって、受信した音声パケットに、上述したような処理が施され、当該音声パケットに対応する音声がＲＳＭピーカ４２から出力される。
【００９３】
続いて、ステップＳ１１７では、他者がフロアを開放したかどうかを判断する。ステップＳ１１７で“ＮＯ”であれば、そのまま同じステップＳ１１７に戻る。一方、ステップＳ１１７で“ＹＥＳ”であれば、ステップＳ１１９で、内部アンプ８４の出力をオフし、ステップＳ１２１で、第４アンプ７４をオフして、ステップＳ９７に戻る。
【００９４】
図１２に示すように、ステップＳ１２３では、一定時間を経過したかどうかを判断する。ステップＳ１２３で“ＮＯ”であれば、図１１に示したステップＳ１０１に戻る。一方、ステップＳ１２３で“ＹＥＳ”であれば、ステップＳ１２５で、ＰＰＴ通話を終了し、ステップＳ１２７で、ＤＳＰ６４の入出力を停止して、ＰＴＴ通話処理を終了する。
【００９５】
この実施例によれば、ＰＴＴ通話において、他者がフロアを取得したときに、アンプの出力を開始し、他者がフロアを開放すると、アンプの出力を停止するので、スピーカから音声ないし音を出力する必要がない場合に、アンプの出力を停止することができる。したがって、スピーカからホワイトノイズが発生するのを防止することができる。
【００９６】
また、この実施例によれば、ＰＴＴ通話においては、ＤＳＰの入出力を開始してから終了するまでの間で、アンプをオン／オフするので、アンプのオン／オフに起因してスピーカからノイズが発生するのを防止することもできる。
【００９７】
なお、この実施例では、ＰＴＴ通話において、音声パケットを送受信するようにしたが、これに限定される必要は無く、音声パケット以外に映像（画像）、音（楽曲）、文字のような他のコンテンツを送受信することも可能である。
【００９８】
また、この実施例では、電子機器として、携帯電話機を用いた場合についてのみ示したが、他の実施例として、デジタルトランシーバを用いることもできる。
【００９９】
さらに、この実施例では、ＰＴＴボタンとして専用のボタンを用いるようにしたが、機能キーを用いるようにしてもよい。
【符号の説明】
【０１００】
１０  …携帯電話機（電子機器）
１２  …プロセッサ
１６  …キー入力装置
１８  …表示ドライバ
２０  …ディスプレイ
２２  …ＲＡＭ
２４  …フラッシュメモリ
２６、６８、７０、７２、７４、８４、９６  …アンプ
２８、３０、４０、４２  …スピーカ
３２、３４、４４、４６  …マイク
６０  …制御回路
６２  …無線通信回路
６４  …ＤＳＰ
６６、９４  …マルチプレクサ
【図１】
2013172297.tif 000003
【図２】
2013172297.tif 000004
【図３】
2013172297.tif 000005
【図４】
2013172297.tif 000006
【図５】
2013172297.tif 000007
【図６】
2013172297.tif 000008
【図７】
2013172297.tif 000009
【図８】
2013172297.tif 000010
【図９】
2013172297.tif 000011
【図１０】
2013172297.tif 000012
【図１１】
2013172297.tif 000013
【図１２】
2013172297.tif 000014
【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
１または複数の相手機器との間で通信を行う電子機器であって、
受信した音声信号に対応する音声を出力する出力部と、
前記出力部の前段に設けられ、前記受信した音声信号を増幅する増幅部と、
前記相手機器が発言権を取得したときに、前記増幅部の出力を開始し、少なくとも前記相手機器が発言権を取得していないときに、当該増幅部の出力を停止させる増幅制御部を備える、電子機器。
【請求項２】
少なくとも前記通信を行う通信部と、
前記通信部と前記増幅部との間に設けられ、音声信号が入出力される入出力部と、
前記入出力部への音声信号の入出力の開始および停止を制御する、入出力制御部をさらに備え、
前記増幅制御部は、前記入出力制御部によって前記入出力部への入出力が開始されてから停止されるまでの間において、前記増幅部の出力を開始または停止させる、請求項１記載の電子機器。
【請求項３】
受信した音声信号に対応する音声を出力する出力部と、
前記出力部の前段に設けられ、前記受信した音声信号を増幅する増幅部を備え、
１または複数の相手機器との間で通信を行う電子機器の出力制御プログラムであって、
前記電子機器のプロセッサに、
前記相手機器が発言権を取得したときに、前記増幅部の出力を開始し、少なくとも前記相手機器が発言権を取得していないときに、当該増幅部の出力を停止させる増幅制御ステップを実行させる、出力制御プログラム。
【請求項４】
受信した音声信号に対応する音声を出力する出力部と、
前記出力部の前段に設けられ、前記受信した音声信号を増幅する増幅部を備え、
１または複数の相手機器との間で通信を行う電子機器の出力制御方法であって、
前記電子機器のプロセッサは、
前記相手機器が発言権を取得したときに、前記増幅部の出力を開始し、少なくとも前記相手機器が発言権を取得していないときに、当該増幅部の出力を停止させる、出力制御方法。
【手続補正２】
【補正対象書類名】明細書
【補正対象項目名】０００８
【補正方法】変更
【補正の内容】
【０００８】
第１の発明は、１または複数の相手機器との間で通信を行う電子機器であって、受信した音声信号に対応する音声を出力する出力部と、出力部の前段に設けられ、受信した音声信号を増幅する増幅部と、相手機器が発言権を取得したときに、増幅部の出力を開始し、少なくとも相手機器が発言権を取得していないときに、当該増幅部の出力を停止させる増幅制御部を備える、電子機器である。
【手続補正３】
【補正対象書類名】明細書
【補正対象項目名】０００９
【補正方法】変更
【補正の内容】
【０００９】
第１の発明では、電子機器（１０）は、１または複数の相手機器（１０など）との間で通信を行う。出力部（２８、３０、４０、４２）は、受信した音声信号に対応する音声を出力する。増幅部（２６、６８、７０、７２、７４、８４）は、出力部の前段に設けられ、受信した音声信号を増幅する。増幅制御部（６０、Ｓ１９、Ｓ２１、Ｓ２７、Ｓ２９、Ｓ５３、Ｓ５９、Ｓ８３、Ｓ８９、Ｓ１１１、Ｓ１１３、Ｓ１１９、Ｓ１２１）は、相手機器が発言権を取得したときに、増幅部の出力を開始し、少なくとも相手機器が発言権を取得していないときに、当該増幅部の出力を停止させる。つまり、電子機器自身が発言権を取得したとき、および通信を行う全ての機器が発言権を有していないときに、増幅部の出力は停止される。ここで、部材の前段とは、信号の送信方向が、入力から出力方向に向かって前後が定義された場合の前段を意味する（以下、同様。）。そのため、出力部の前段に増幅部が設けられている場合には、音声信号が増幅部側から出力部側に送信されることになる。
【手続補正４】
【補正対象書類名】明細書
【補正対象項目名】００１１
【補正方法】変更
【補正の内容】
【００１１】
第２の発明は、第１の発明に従属し、少なくとも通信を行う通信部と、通信部と増幅部との間に設けられ、音声信号が入出力される入出力部と、入出力部への入出力の開始および停止を制御する、入出力制御部をさらに備え、増幅制御部は、入出力制御部によって入出力部への入出力が開始されてから停止されるまでの間において、増幅部の出力を開始または停止させる。
【手続補正５】
【補正対象書類名】明細書
【補正対象項目名】００１２
【補正方法】変更
【補正の内容】
【００１２】
第２の発明では、通信部（６２）は少なくとも通信を行う。入出力部（６４）は、通信部と増幅部との間に設けられ、音声信号が入出力される。入出力制御部（６０、Ｓ１、Ｓ
３５、Ｓ６５、Ｓ９５、Ｓ１２７）は、入出力部への入出力の開始および停止を制御する。つまり、入出力部への音声信号の入出力が行われている場合に、増幅部の出力が開始または停止される。
【手続補正６】
【補正対象書類名】明細書
【補正対象項目名】００１４
【補正方法】変更
【補正の内容】
【００１４】
第３の発明は、受信した音声信号に対応する音声を出力する出力部と、出力部の前段に設けられ、受信した音声信号を増幅する増幅部を備え、１または複数の相手機器との間で通信を行う電子機器の出力制御プログラムであって、電子機器のプロセッサに、相手機器が発言権を取得したときに、増幅部の出力を開始し、少なくとも相手機器が発言権を取得していないときに、当該増幅部の出力を停止させる増幅制御ステップを実行させる、出力制御プログラムである。
【手続補正７】
【補正対象書類名】明細書
【補正対象項目名】００１５
【補正方法】変更
【補正の内容】
【００１５】
第４の発明は、受信した音声信号に対応する音声を出力する出力部と、出力部の前段に設けられ、受信した音声信号を増幅する増幅部を備え、１または複数の相手機器との間で通信を行う電子機器の出力制御方法であって、電子機器のプロセッサは、相手機器が発言権を取得したときに、増幅部の出力を開始し、少なくとも相手機器が発言権を取得していないときに、当該増幅部の出力を停止させる、出力制御方法である。